(57)【要約】【課題】ガスセンサについて、実際の使用寿命を予測してガス検知装置の正常動作状態を継続して維持することのできるガスセンサ使用寿命予測方法およびガス検知装置を提供すること。【解決手段】ガスセンサ使用寿命予測方法は、ガスセンサについて実施した標準ガスによる校正処理によって取得した当該ガスセンサの感度値を校正履歴データとして逐次記憶し、この校正履歴データに基づいて、当該ガスセンサに固有の経時的感度減衰特性曲線を取得し、この経時的感度減衰特性曲線によって、当該ガスセンサについて設定された、初期感度値に対する特定の割合の感度値となる特定減衰時点を求め、この特定減衰時点を当該ガスセンサについての使用限界時期として取得する。ガス検知装置は、上記ガスセンサ使用寿命予測方法を実行する機能を有する制御部を備えている。【選択図】図４
2015094616.tif 000002
【特許請求の範囲】
【請求項１】
ガスセンサについて実施した標準ガスによる校正処理によって取得した当該ガスセンサの感度値を校正履歴データとして逐次記憶し、
この校正履歴データに基づいて、当該ガスセンサに固有の経時的感度減衰特性曲線を取得し、
この経時的感度減衰特性曲線によって、当該ガスセンサについて設定された、初期感度値に対する特定の割合の感度値となる特定減衰時点を求め、
この特定減衰時点を当該ガスセンサについての使用限界時期として取得することを特徴とするガスセンサ使用寿命予測方法。
【請求項２】
前記経時的感度減衰特性曲線を、最新の校正処理時に取得した感度値と、その直前の校正処理時に取得した感度値とを直線近似することにより取得することを特徴とする請求項１に記載のガスセンサ使用寿命予測方法。
【請求項３】
前記経時的感度減衰特性曲線を、最新の校正処理時に取得した感度値を含む少なくとも３つ以上の感度値からなるデータ群に対して最適な関数で近似することにより取得することを特徴とする請求項１に記載のガスセンサ使用寿命予測方法。
【請求項４】
検知対象ガスの検知を行うガスセンサを備えたガス検知部と、当該ガス検知部からの出力信号を処理する制御部と、当該ガスセンサについての校正履歴データを含む当該ガスセンサに固有の情報が記憶された記憶部とを備えており、
前記制御部は、請求項１乃至請求項３のいずれかに記載のガスセンサ使用寿命予測方法を実行する機能を有することを特徴とするガス検知装置。
【発明の詳細な説明】
【技術分野】
【０００１】
本発明は、ガスセンサ使用寿命予測方法およびガス検知装置に関する。
【背景技術】
【０００２】
一般に、ガス検知装置においては、ガスセンサの検知性能が使用に伴って経時的にあるいは他の理由によって劣化して一定以下に低下すると、その用途の性質上、きわめて危険な状態となることから、正常動作を保証するために定期的な保守点検を行うことが必要とされている。
【０００３】
例えば、半導体式ガスセンサや電気化学式センサなどを用いたガス検知装置は、ガスセンサの検出感度やスパン特性などの初期特性、経時特性の個体差が大きいため、ガスセンサと信号処理回路の間に増幅度を調整可能な増幅器を接続し、これらのガスセンサの特性のばらつきを補正できるよう構成されている。
【０００４】
而して、ガスセンサの検出感度は校正することはできるものの、使用寿命（使用限界時期）は到来することから、ガスセンサの使用寿命を判定することが行われている。具体的には例えば、ガスセンサの検出感度が経時的に劣下して初期感度値から規定の値まで低下した時点をガスセンサの使用寿命と判断している。
【０００５】
また、特許文献１には、実験によって求められたグラフよりセンサ素子の内部インピーダンスと使用寿命までの動作可能日数の関係を数式化し、測定したガスセンサ素子の内部インピーダンスの値を元にセンサ素子の使用寿命までの残り時間を測定する方法が開示されている。
【先行技術文献】
【特許文献】
【０００６】
【特許文献１】特開平１１−１０８８７８号公報
【発明の概要】
【発明が解決しようとする課題】
【０００７】
上述したように、ガスセンサは個々に初期特性が異なるものであり、また、劣化特性も異なるものであるため、ガスセンサの使用寿命は、実際の使用環境、使用条件などによって大きく異なり、ガスセンサの使用寿命を予測することはほとんど困難であった。
【０００８】
本発明は、以上のような事情に基づいてなされたものであり、ガスセンサについて、実際の使用寿命を予測してガス検知装置の正常動作状態を継続して維持することのできるガスセンサ使用寿命予測方法およびガス検知装置を提供することを目的とする。
【課題を解決するための手段】
【０００９】
本発明のガスセンサ使用寿命予測方法は、ガスセンサについて実施した標準ガスによる校正処理によって取得した当該ガスセンサの感度値を校正履歴データとして逐次記憶し、
この校正履歴データに基づいて、当該ガスセンサに固有の経時的感度減衰特性曲線を取得し、
この経時的感度減衰特性曲線によって、当該ガスセンサについて設定された、初期感度値に対する特定の割合の感度値となる特定減衰時点を求め、
この特定減衰時点を当該ガスセンサについての使用限界時期として取得することを特徴とする。
【００１０】
本発明のガスセンサ使用寿命予測方法においては、前記経時的感度減衰特性曲線として、最新の校正処理時に取得した感度値と、その直前の校正処理時に取得した感度値とを直線近似することにより取得したものを用いることができる。
また、前記経時的感度減衰特性曲線として、最新の校正処理時に取得した感度値を含む少なくとも３つ以上の感度値からなるデータ群に対して最適な関数で近似することにより取得したものを用いてもよい。
【００１１】
本発明のガス検知装置は、検知対象ガスの検知を行うガスセンサを備えたガス検知部と、当該ガス検知部からの出力信号を処理する制御部と、当該ガスセンサについての校正履歴データを含む当該ガスセンサに固有の情報が記憶された記憶部とを備えており、
前記制御部は、上記のガスセンサ使用寿命予測方法を実行する機能を有することを特徴とする。
【発明の効果】
【００１２】
本発明のガスセンサ使用寿命予測方法によれば、対象とするガスセンサの使用可能期間の終期を、実際に使用限界時期（使用寿命）が到来する前に、当該ガスセンサの実際の劣化特性に基づいて予測することができるので、予め交換用の新ガスセンサを用意しておくなどの予備保全を行うことができる。また、少なくとも２つの感度値（校正履歴データ）によりガスセンサの使用可能期間の終期を予測することができるので、ガスセンサの寿命予測処理を迅速にかつ容易に行うことができる。
従って、このようなガスセンサ使用寿命予測方法が実行されるガス検知装置によれば、ガスセンサが予期せずに使用限界時期に達してガス検知動作自体が実施不能となるといった事態が生ずることを回避することができ、ガス検知装置の正常動作状態を継続して維持することができる。
【図面の簡単な説明】
【００１３】
【図１】本発明のガス検知装置の一構成例を示す斜視図である。
【図２】図１に示すガス検知装置において、前面カバー蓋が開状態とされた状態をガスセンサユニットと共に示す分解斜視図である。
【図３】図１に示すガス検知装置の構成の概略を示すブロック図である。
【図４】ガスセンサの検出感度の調整方法を説明するための図である。
【図５】ガスセンサの相対感度と経過時間との関係を示す経時的感度減衰特性の一例を示すグラフである。
【図６】ガスセンサの相対感度と経過時間との関係を示す経時的感度減衰特性の他の例を示すグラフである。
【発明を実施するための形態】
【００１４】
以下、本発明の実施の形態について詳細に説明する。
図１は、本発明のガス検知装置の一構成例を示す斜視図である。図２は、図１に示すガス検知装置において、前面カバー蓋が開状態とされた状態をガスセンサユニットと共に示す分解斜視図である。図３は、図１に示すガス検知装置の構成の概略を示すブロック図である。
このガス検知装置１０は、後背面が例えば工場およびその他の建物のガス検知対象空間を画成する壁面など垂直な被取り付け面に固定されて、設置され、内蔵されたポンプ装置４５によって被検査ガスが吸引されてガスセンサ３５に供給されるものである。
【００１５】
このガス検知装置１０は、正面に表示部１６、操作部１７および警報用発光部１８を有すると共に下面にガス導入部１２ａ、ガス排出部１２ｂおよび電源ケーブル接続部１２ｃを有するガス検知装置本体１０ａと、このガス検知装置本体１０ａに対して着脱可能に装着されたガス検知部を構成するガスセンサユニット３０とにより構成されている。
【００１６】
ガス検知装置本体１０ａは、前方が開口する扁平な直方体形状の外匣１１を備えており、この外匣１１の下端側開口縁部には、前面カバー蓋１５が前面カバー蓋ロック機構によって閉状態に固定される閉位置と開状態とされる開位置との間で回動自在に設けられている。図１および図２における１１ａは、前面カバー蓋１５を閉状態に固定するロック機構のロック解除用ボタン、１５ａは、装着されたガスセンサユニット３０に係るガスセンサの種類等の情報を示す銘板３２を、外部から視認するための視認用開口部である。
【００１７】
外匣１１内における一方の側壁の近傍位置には、メイン基板２０が当該側壁に沿って伸びるよう配設されている。メイン基板２０は、互いに検知対象ガスの種類または濃度検出レベルが異なる複数種のガスセンサのすべてのものに共通の信号処理システムを有する。
【００１８】
具体的には、メイン基板２０は、図３に示すように、電源回路部２１と、警報接点制御部２２と、記憶部２３と、通信部２４と、ポンプ駆動制御回路部２５と、制御部（ＣＰＵ）２６とを備えている。
【００１９】
記憶部２３には、装着されたガスセンサユニット３０におけるガスセンサ３５の校正処理、ガスセンサ寿命予測処理および警報出力処理に必要なデータなどが記憶されている。
【００２０】
通信部２４は、例えばイーサネット（登録商標）などのネットワークを利用して、ガス検知データや、警報データなどを出力する。
【００２１】
制御部２６は、例えば、ガスセンサ３５に供給される被検査ガスの流量を流量センサ４６の出力信号に基づいて監視する機能、装着されたガスセンサユニット３０について標準ガスによる校正処理の結果に基づいて当該ガスセンサユニット３０におけるガスセンサ３５の検出感度の調整を行う機能、当該ガスセンサ３５についての校正履歴データに基づいてガスセンサ３５の使用寿命（使用限界時期）を予測する機能を有する。
【００２２】
また、このガス検知装置本体１０ａにおける外匣１１内には、前面カバー蓋１５が開状態とされた状態において、前方に開口する凹所よりなるガスセンサユニット装着部１３が形成されており、このガスセンサユニット装着部１３に対してガスセンサユニット３０が気密に接続されて着脱自在に装着される。
【００２３】
ガスセンサユニット３０は、ガスセンサ３５が当該ガスセンサ３５の出力信号を処理するセンサ基板３６と共に当該ガスセンサ３５の種類に応じたセンサケース３１内に収容されることによりユニット化されてなるものである。
【００２４】
ガスセンサ３５としては、例えば定電位電解式ガスセンサ、熱粒子化式ガスセンサ、ガルバニ電池式ガスセンサ、ニューセラミック式ガスセンサ、半導体式ガスセンサ、接触燃焼式ガスセンサなどを例示することができる。
【００２５】
センサ基板３６は、ユニット制御部３７と、ガスセンサ３５からのセンサ出力信号を増幅するアンプ部３８と、ガスセンサ３５に固有の情報が記憶された記憶部３９とを備えている。
【００２６】
ユニット制御部３７は、ガス検知装置本体１０ａにおけるメイン基板２０の信号処理システムによって処理可能な統一された規格の測定データとしての電気的信号による出力信号を作成すると共に、当該出力信号をガス検知装置本体１０ａにおけるメイン基板２０に送信する機能を有する。ここに、作成される測定データは、例えばガス濃度データおよびガスセンサ３５の故障状態および測定単位などのステータスデータを含むものであって、例えば同一のデータ通信の規格を有する。
【００２７】
記憶部３９には、ガスセンサ３５についてのガス濃度算出処理に必要なデータや、例えば校正日時、標準ガス（ゼロガスおよびスパンガス）によるセンサ出力値、感度値（スパンガスによるセンサ出力値の、ゼロガスによるセンサ出力値に対する比）および感度調整量（センサ出力調整量）を含む校正履歴データなどが記憶されている。ここに、校正履歴データには、ガスセンサユニット３０の出荷調整時に実施された校正処理により取得されたものが含まれ、この出荷調整時に行われた校正処理よって得られた感度値が初期感度値として記憶されている。
【００２８】
センサケース３１は、ガスセンサ３５の種類（検知対象ガスの種類または濃度検出レベルの異なるもの）に応じたものが用いられているが、外形形状が互いに実質的に同一のもの、すなわち、ガスセンサユニット装着部１３と適合する外形形状を有するものとされている。従って、このガス検知装置１０においては、互いに検知対象ガスの種類または検知レベルの異なるガスセンサを具えた複数のガスセンサユニットのうちから目的に応じて選択されたいずれか一のガスセンサユニットが、当該ガスセンサユニットに係るガスセンサと異なる種類のガスセンサを具えた他のガスセンサユニットと選択的に交換可能に装着できるよう構成されている。
【００２９】
而して、上記のガス検知装置においては、ガスセンサユニット３０がガスセンサユニット装着部１３に装着された状態において、前面カバー蓋１５が閉状態とされることにより、ガスセンサユニット装着部１３にセットされた状態、すなわち、ガス検知装置本体１０ａの記憶部２３に記録されている情報の、装着されたガスセンサユニット３０の固有の情報への更新記録（設定変更）動作が行われてガス検知動作が可能な状態とされる。一方、ガスセンサユニット３０を取り外す場合には、前面カバー蓋１５を開状態にした状態において、ガスセンサユニット３０を単に引き出すことによって取り外すことができる。
【００３０】
ガスセンサユニット３０がセットされた状態において、ポンプ装置４５がポンプ駆動制御回路２５によって適正に制御された条件で動作されることにより、被検査ガスがガス導入部１２ａを介して導入されてガスセンサユニット３０におけるガスセンサ３５に供給され、検知対象ガスのガス検知（監視）が行われる。すなわち、ガスセンサ３５からのセンサ出力信号は、センサ基板３６におけるユニット制御部３７の信号処理システムによって処理され、検知対象ガスのガス濃度データおよびステータスデータを含む、統一されたデータ通信の規格による出力信号（検知対象ガスについての電気的信号による測定データ）が作成される。この出力信号は、ガス検知装置本体１０ａにおけるメイン基板２０に伝送され、制御部２６によって処理されて表示部１６に表示される。
【００３１】
そして、ガス濃度が検知対象ガスについて設定された警報点を越えたことが制御部２６によって検出された場合には、警報信号が警報接点制御部２２に発せられ、この警報接点制御部２２によって警報用発光部１８の発光による警報表示がなされる。
また、流量センサ４６からの検出信号に基づいて、ガス検知装置１０内に流通するガス流量が低下したことが制御部２６によって検知されることによっても、流量低下信号が警報接点制御部２２に発せられて警報用発光部１８の発光による警報表示がなされる。
【００３２】
このガス検知装置１０においては、上述したように、正常動作を保証するために、ガスセンサ３５（ガスセンサユニット３０）について所定時間間隔（例えば６ケ月間）毎の定期的な校正処理が行われる。また、ガス検知装置本体１０ａに装着されたガスセンサユニットを変更する場合においても、新たに装着されたガスセンサユニットにおけるガスセンサの校正処理が行われる。
【００３３】
ガスセンサ３５の校正処理にあっては、ガスセンサユニット３０による標準ガスすなわちゼロガスおよび既定のガス濃度のスパンガスの測定が順次に行われ、これにより取得されるセンサ出力値（ゼロ出力値およびスパン出力値）が校正履歴データとして記憶部３９に記録される。
また、ガス検知装置本体１０ａにおける制御部２６によって、当該センサ出力値に基づいて取得されるガスセンサ３５の感度値が初期感度値と一致するよう感度調整量が設定され、当該感度調整量が校正履歴データとしてガスセンサユニット３０における記憶部３９に記録されると共に、当該感度調整量に基づいてガスセンサ３５の検出感度が調整される。
校正履歴データは、校正処理が行われる度毎にガスセンサユニット３０における記憶部３９に逐次記憶される。
【００３４】
而して、上記のガス検知装置１０においては、ガスセンサ３５の校正処理が行われた後に、当該ガスセンサ３５についての校正履歴データに基づくガスセンサ寿命予測処理がガス検知装置本体１０ａの制御部２６によって行われる。
【００３５】
このガスセンサ寿命予測処理においては、先ず、ガスセンサ３５についての校正履歴データに基づいて、当該ガスセンサ３５に固有の経時的感度減衰特性曲線を取得する。経時的感度減衰特性曲線を取得する方法としては、例えば、最新の校正処理時に取得した感度値と、その直前の校正処理時に取得した感度値とを線形近似する方法を用いることができる。図５は、初期感度値に対する相対感度と経過時間との関係を示す経時的感度減衰特性曲線の一例を示すグラフである。
【００３６】
而して、図４に示すように、最新の校正処理時Ｔ２（例えばＴ＝１２）の直前の校正処理時Ｔ１（例えばＴ＝６）においては、ガスセンサ３５の感度値が実質的に初期感度値Ｓ０と一致するよう調整されている（図４において白抜きの丸印で示すプロット）。従って、最新の校正処理時Ｔ２において標準ガスによるセンサ出力値に基づいて取得される感度値Ｓ２´は、直前の校正処理時Ｔ１に調整された感度値Ｓ０から経時的に検出感度が劣化した、いわば見かけ上の感度値である（図４において斜線を付した丸印で示すプロット）。そこで、最新の校正処理時Ｔ２に取得された感度値Ｓ２´からこれまで実施した校正処理による感度調整量の総和（ΔＳ１）を減算することにより、初期感度値Ｓ０から経時的に検出感度が劣化したガスセンサ本来の感度値Ｓ２（図４において塗りつぶした丸印で示すプロット）を算出（予測）する。第３回目の校正処理時においては、標準ガスによるセンサ出力値に基づいて取得される感度値からこれまで実施した校正処理による感度調整量の総和（ΔＳ１＋ΔＳ２）を減算することにより、ガスセンサ本来の感度値が算出される。
【００３７】
そして、図５に示すように、ガスセンサ３５の出荷調整時Ｔ０から６ヶ月の時間が経過した第１回目の校正処理時Ｔ１においては、初期感度値Ｓ０と、第１回目の校正処理時Ｔ１の感度値（初期感度値Ｓ０に対する相対感度値Ｓ１）とを線形近似することにより、図５において一点鎖線で示す近似直線（２点を通る直線）が経時的感度減衰特性曲線として取得される。また、ガスセンサ３５の出荷調整時Ｔ０から１２ヶ月の時間が経過した第２回目の校正処理時Ｔ２においては、第１回目の校正処理時Ｔ１のガスセンサ本来の感度値（初期感度値Ｓ０に対する相対感度値Ｓ１）と、第２回目の校正処理時Ｔ２のガスセンサ本来の感度値（初期感度値Ｓ０に対する相対感度値Ｓ２）とを線形近似することにより、図５において破線で示す近似直線が経時的感度減衰特性曲線として取得される。このように、経時的感度減衰特性曲線は、校正処理が行われる度毎に逐次取得される。
【００３８】
次いで、最新の校正処理時Ｔ２において取得された経時的感度減衰特性曲線によって、ガスセンサ３５について設定された、初期感度値Ｓ０に対する特定の割合の感度値（閾値）Ｘとなる特定減衰時点を求め、この特定減衰時点を当該ガスセンサ３５についての使用限界時期ＴＬとして取得する。ここに、閾値は、例えば、ガスセンサ３５の検出感度の調整可能範囲の下限値、例えば初期感度値の３０％の値に設定される。また、閾値は、例えば、ガスセンサの種類によって変更することもできる。
【００３９】
取得された使用限界時期ＴＬは、表示部１６に表示されると共に、通信部２４によってネットワークを介して例えば管理装置などに出力される。
以上において、校正処理時において取得されるガスセンサ本来の感度値が閾値Ｘ以下であることが検出された場合には、センサ使用期限警報信号が制御部２６から出力され、ガスセンサ３５の使用寿命が到来したことが報知される。
【００４０】
而して、上記のガスセンサ使用寿命予測方法によれば、ガスセンサユニット３０におけるガスセンサ３５の使用限界時期の終期を、実際に使用限界時期が到来する前に、当該ガスセンサ３５の実際の劣化特性に基づいて予測することができるので、予め交換用の新ガスセンサユニットを用意しておくなどの予備保全を行うことができ、また、交換部品であるガスセンサユニット３０の在庫管理の適正化を図ることができる。さらにまた、２つの感度値（校正履歴データ）によりガスセンサ３５の使用可能期間の終期を予測することができるので、ガスセンサ３５の寿命予測処理を迅速にかつ容易に行うことができる。
従って、このようなガスセンサ使用寿命予測方法が実行されるガス検知装置１０によれば、ガスセンサ３５が予期せずに使用限界時期に達してガス検知動作自体が実施不能となるといった事態が生ずることを回避することができ、ガス検知装置１０の正常動作状態を継続して維持することができる。
【００４１】
以上、本発明の実施形態について説明したが、本発明は上記の実施形態に限定されるものではなく、種々の変更を加えることができる。
例えば、経時的感度減衰特性曲線を取得する方法としては、最新の校正処理時に取得した感度値を含む少なくとも３つ以上の感度値からなるデータ群に対して最適な関数で近似（直線近似または曲線近似）する方法を用いることができる。
具体的には例えば、図５に示すように、校正履歴データとして、初期感度値を含む３つの感度値（白抜きの丸印で示すプロット）が取得されている場合、すなわち第２回目の校正処理時には、当該３つの感度値を例えば最小二乗法により直線近似することにより、図５において破線で示す近似直線を経時的感度減衰特性曲線として取得することができる。
また、例えば、予めフィールド試験による標準的なガスセンサについての経時的感度減衰特性曲線を取得しておき、対象とするガスセンサの実際の感度値の複数を当該経時的感度減衰特性曲線を表す関数で近似することにより、当該ガスセンサに固有の経時的感度減衰特性曲線を取得することもできる。
【００４２】
上記実施例においては、便宜上、記載していないが、実際には、ガス検知装置の設置時においても、ガスセンサの校正処理が実施されており、従って、この設置時の校正履歴データも利用してガスセンサ寿命予測処理が行われることにより、信頼性を向上させることができる。
また、本発明は、上記構成のガス検出装置に限らず、種々の構成の定置式のガス検知装置に適用することができる。
【符号の説明】
【００４３】
１０  ガス検知装置
１０ａ  ガス検知装置本体
１１  外匣
１１ａ  ロック解除用ボタン
１２ａ  ガス導入部
１２ｂ  ガス排出部
１２ｃ  電源ケーブル接続部
１３  ガスセンサユニット装着部
１５  前面カバー蓋
１５ａ  視認用開口部
１６  表示部
１７  操作部
１８  警報用発光部
２０  メイン基板
２１  電源回路部
２２  警報接点制御部
２３  記憶部
２４  通信部
２５  ポンプ駆動制御回路部
２６  ＣＰＵ
３０  ガスセンサユニット
３１  センサケース
３２  銘板
３５  ガスセンサ
３６  センサ基板
３７  ユニット制御部
３８  アンプ部
３９  記憶部
４５  ポンプ装置
４６  流量センサ
【図１】
2015094616.tif 000003
【図２】
2015094616.tif 000004
【図３】
2015094616.tif 000005
【図４】
2015094616.tif 000006
【図５】
2015094616.tif 000007
【図６】
2015094616.tif 000008